【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
超音波フローメーターにおける相互オペレーションのためにアップストリームトランスデューサに関連付けられる第１の回路とダウンストリームトランスデューサに関連付けられる第２の回路とを自動調整する方法であって、
前記アップストリームトランスデューサと前記ダウンストリームトランスデューサとの間で信号の交換を生じさせるために前記超音波フローメーターのコントローラを用いることと、
アップストリーム信号とダウンストリーム信号とのそれぞれの最大振幅と前記アップストリーム信号と前記ダウンストリーム信号との高速フーリエ変換（ＦＦＴ）のそれぞれの中心周波数とを含むグループの少なくとも１つを比較するために前記コントローラを用いることと、
前記コントローラが前記比較に基づいて前記それぞれの最大振幅と前記それぞれの中心周波数とを含む前記グループの少なくとも１つがマッチしないと判定することに応答して、調整の後に前記第１の回路と前記第２の回路とが実質的にマッチするインピーダンス値を有するように前記第１の回路又は前記第２の回路の少なくとも一方におけるインピーダンス値を調節することにより前記ミスマッチを補正するために前記コントローラを用いることと、
を含む、方法。
【請求項２】
請求項１に記載の方法であって、
前記インピーダンス値を調節することが、
前記インピーダンスの第１の成分を第１のレンジの値の第１の値に設定して前記インピーダンスの第２の成分を第２のレンジの値の第１の値に設定することと、
前記アップストリームトランデューサと前記ダウンストリームトランデューサとの間で信号を交換して前記アップストリーム信号と前記ダウンストリーム信号との最大振幅の差の絶対値を判定することによりそれぞれのデータポイントの値を判定することと、
前記第２の成分を前記第２のレンジにおける次の値に増分して前記それぞれのデータポイントの値を判定することであって、前記データポイントにおける局所的最小が判定されるまで継続される、前記第２の成分を増分して前記それぞれのデータポイントの値を判定することと、
前記第２の成分を前記局所的最小に対応する値に設定することと、
前記第１の成分を前記第１のレンジにおける次の値に増分して前記それぞれのデータポイントの値を判定することであって、前記データポイントにおける全体的最小が判定されるまで継続される、前記第１の成分を増分して前記それぞれのデータポイントの値を判定することと、
前記第１の成分を前記全体的最小に対応する値に設定することと、
を含む、方法。
【請求項３】
請求項２に記載の方法であって、
前記第２の成分が前記第２のレンジにおける全ての値に設定されるか又は前記それぞれのデータポイントの値がもはや前の値より小さくならないときに前記局所的最小が判定され、前記第１の成分が前記第１のレンジにおける全ての値に設定されるか又は前記それぞれのデータポイントの値がもはや前の値より小さくならないときに前記全体的最小が判定される、方法。
【請求項４】
請求項３に記載の方法であって、
前記第１の成分が抵抗であり、前記第２の成分が静電容量である、方法。
【請求項５】
請求項２に記載の方法であって、
前記それぞれのデータポイントの値を判定することが、前記アップストリーム信号の前記ＦＦＴと前記ダウンストリーム信号の前記ＦＦＴとの中心周波数の差の絶対値を判定することを更に含む、方法。
【請求項６】
超音波フローメーターにおける相互オペレーションのためにアップストリームトランスデューサに関連付けられる第１の回路とダウンストリームトランスデューサに関連付けられる第２の回路とを自動調整するための集積回路チップであって、
前記アップストリームトランデューサと前記ダウンストリームトランデューサとの制御を提供するために前記アップストリームトランデューサと前記ダウンストリームトランデューサとに動作可能に接続され、前記アップストリームトランデューサと前記ダウンストリームトランデューサとの各々からそれぞれの信号を受け取るように更に接続されるマイクロコントローラと、
前記マイクロコントローラに動作可能に接続されるメモリであって、前記マイクロコントローラにより実施されるときに、
前記アップストリームトランスデューサと前記ダウンストリームトランスデューサとの間で第１の信号を交換することと、
アップストリーム信号とダウンストリーム信号とのそれぞれの最大振幅と前記アップストリーム信号と前記ダウンストリーム信号との高速フーリエ変換（ＦＦＴ）のそれぞれの中心周波数とを含むグループの少なくとも１つを比較することと、
前記比較に基づいて前記それぞれの最大振幅と前記それぞれの中心周波数とを含む前記グループの少なくとも１つがマッチしないと判定することに応答して、調整の後に前記第１の回路と前記第２の回路とが実質的にマッチするインピーダンス値を有するように前記第１の回路又は前記第２の回路の少なくとも一方におけるインピーダンス値を調節することにより前記ミスマッチを補正することと、
を実施する命令を含む、前記メモリと、
を含む、集積回路チップ。
【請求項７】
請求項６に記載の集積回路チップであって、
前記インピーダンス値を調節することが、
前記インピーダンスの第１の成分を第１のレンジの値の第１の値に設定して前記インピーダンスの第２の成分を第２のレンジの第１の値に設定することと、
前記アップルトリームトランデューサと前記ダウンストリームトランデューサとの間で信号を交換して前記アップストリーム信号と前記ダウンストリーム信号との最大振幅の差の前記絶対値を判定することにより、それぞれのデータポイントの値を判定することと、
前記第２の成分を前記第２のレンジにおける次の値に増分して前記それぞれのデータポイントの値を判定することであって、前記データポイントにおける局所的最小が判定されるまで継続される、前記第２の成分を増分して前記それぞれのデータポイントの値を判定することと、
前記第２の成分を前記局所的最小に対応する値に設定することと、
前記第１の成分を前記第１のレンジにおける次の値に増分して前記それぞれのデータポイントの値を判定することであって、前記データポイントにおける全体的最小が判定されるまで継続される、前記第１の成分を増分して前記それぞれのデータポイントの値を判定することと、
前記第１の成分を前記全体的最小に対応する値に設定することと、
を含む、集積回路チップ。
【請求項８】
請求項７に記載の集積回路チップであって、
前記第２の成分が前記第２のレンジにおける全ての値に設定されるか又は前記それぞれのデータポイントがもはや一層小さくならないときに前記局所的最小が判定され、前記第１の成分が前記第１のレンジにおける全ての値に設定されるか又は前記それぞれのデータポイントがもはや一層小さくならないときに前記全体的最小が判定される、集積回路チップ。
【請求項９】
請求項８に記載の集積回路チップであって、
前記第１の成分が抵抗であり、前記第２の成分が静電容量である、集積回路チップ。
【請求項１０】
請求項８に記載の集積回路チップであって、
前記それぞれのデータポイントの値を判定することが、前記アップストリーム信号の前記ＦＦＴと前記ダウンストリーム信号の前記ＦＦＴとの中心周波数の差の絶対値を判定することを更に含む、集積回路チップ。
【請求項１１】
超音波フローメーターにおける相互オペレーションのためにアップストリームトランスデューサに関連付けられる第１の回路とダウンストリームトランスデューサに関連付けられる第２の回路とを自動調整するための集積回路チップであって、
前記アップストリームトランデューサと前記ダウンストリームトランデューサとの制御を提供するために前記アップストリームトランデューサと前記ダウンストリームトランデューサとに動作可能に接続され、前記アップストリームトランデューサと前記ダウンストリームトランデューサとの各々からそれぞれの信号を受け取るように更に接続されるマイクロコントローラと、
前記マイクロコントローラに動作可能に接続されるメモリであって、前記マイクロコントローラにより実施されるときに、
前記アップストリームトランスデューサと前記ダウンストリームトランスデューサとの間で信号を交換することと、
アップストリーム信号とダウンストリーム信号とのそれぞれの最大振幅と前記アップストリーム信号と前記ダウンストリーム信号との高速フーリエ変換（ＦＦＴ）のそれぞれの中心周波数とを含むグループの少なくとも１つを比較することと、
前記比較に基づいて前記それぞれの最大振幅と前記それぞれの中心周波数とを含む前記グループの少なくとも１つがマッチしないと判定することに応答して、前記信号のディジタル処理の間にインピーダンスミスマッチを補償することにより前記ミスマッチを補正することと、
を実施する命令を含む、前記メモリと、
を含む、集積回路チップ。